(57)【要約】【課題】複数の複製マシンに対するカスタマイズ（顧客環境設定）を容易かつ確実に行うことができるようにする。【解決手段】ＨＤイメージコピーツール１０により、ＰＣマスタマシン３０のＨＤ３２のＯＳや複数のＡＰ１，ＡＰ２・・・等の情報をイメージコピーし、自動カスタマイズツール２０によりカスタマイズ（顧客環境設定）に必要となるパラメータがＨＤイメージコピーツール１０に渡されると、ＨＤイメージコピーツール１０によってイメージコピーされたＰＣマスタマシン３０のＨＤ３２のＯＳや複数のＡＰ１，ＡＰ２・・・等の情報の全てが複数のＰＣ複製マシン４０のＨＤ４２にパラメータに応じてカスタマイズされ、コピーされるようにする。【選択図】    図１
2004157682.tif 000002
【特許請求の範囲】
【請求項１】
マスタマシンが保有している情報をイメージコピーするイメージコピーツールと、
カスタマイズに必要となるパラメータを前記イメージコピーツールに渡すカスタマイズツールとを備え、
前記イメージコピーツールによってイメージコピーされた情報の全てが複数の複製マシンに前記パラメータに応じてカスタマイズされ、コピーされることを特徴とする自動カスタマイズシステム。
【請求項２】
前記イメージコピーツールは、前記マスタマシンのハードディスクに記録されているＯＳや複数のアプリケーションを一括してコピーするものであることを特徴とする請求項１に記載の自動カスタマイズシステム。
【請求項３】
前記カスタマイズツールは、前記パラメータをカスタマイズに合わせて生成するものであることを特徴とする請求項１又は２に記載の自動カスタマイズシステム。
【請求項４】
マスタマシンが保有している情報をイメージコピーする工程と、
カスタマイズに必要となるパラメータを渡す工程とを有し、
前記イメージコピーされた情報の全てが複数の複製マシンに前記パラメータに応じてカスタマイズされ、コピーされることを特徴とする自動カスタマイズ方法。
【請求項５】
前記マスタマシンのハードディスクに記録されているＯＳや複数のアプリケーションを一括してコピーする工程を有することを特徴とする請求項４に記載の自動カスタマイズ方法。
【請求項６】
前記パラメータをカスタマイズに合わせて生成する工程を有することを特徴とする請求項４又は５に記載の自動カスタマイズ方法。
【発明の詳細な説明】
【０００１】
【発明の属する技術分野】
本発明は、ＩＴ分野の自動化領域に関し、特にＰＣ（パーソナルコンピュータ）等の情報処理装置の大量一括導入時におけるカスタマイズ（顧客環境設定）を行うための自動カスタマイズシステムに関する。
【０００２】
【従来の技術】
従来、電力会社等における大規模システム（基幹系システム）では、経理・資材・勤怠管理等を行う事務系システム及び工程管理や設備管理等を行う技術系システムで使用する複数（何万台規模）のＰＣに関して、納入メーカーから複数のＰＣ複製マシンが納品されると、それぞれのＰＣ複製マシンが各部署に配付された後、顧客の各担当者により個別に１台ずつ手動でカスタマイズ（顧客環境設定）が行われている。
【０００３】
ちなみに、特許文献１では、ＰＣ上で運用するためのＯＳやアプリケーション等を一括してインストールできるインストールシステムを提案している。これは、インストールの対象となるＰＣとは別のＰＣでインストールすべき各種データをＣＤ−ＲＯＭ等の記憶媒体に記憶させておき、その記憶媒体を用いることでインストールの対象となるＰＣに一括してインストールされるようにしたものである。
【０００４】
【特許文献１】
特開平１１−１４３６９０号公報（段落００３４，００３５、図２）
【０００５】
【発明が解決しようとする課題】
ところが、上述した特許文献１では、別のＰＣで準備しておいた記憶媒体を用いることで、対象となるＰＣへの一括インストールが可能となるものの、やはり顧客の各担当者が個別に１台ずつ手動でカスタマイズ（顧客環境設定）を行わなければならないという問題があった。
【０００６】
また、対象となるＰＣへの一括インストールを行うためには、ある程度の知識を有するため、不慣れな担当者がカスタマイズ（顧客環境設定）を行うと、手間がかかったり、設定誤り等が発生したりすることも予測される。
【０００７】
本発明は、このような状況に鑑みてなされたものであり、複数の複製マシンに対するカスタマイズ（顧客環境設定）を容易かつ確実に行うことができる自動カスタマイズシステムを提供することができるようにするものである。
【０００８】
【課題を解決するための手段】
本発明の自動カスタマイズシステムは、マスタマシンが保有している情報をイメージコピーするイメージコピーツールと、カスタマイズに必要となるパラメータを前記イメージコピーツールに渡すカスタマイズツールとを備え、前記イメージコピーツールによってイメージコピーされた前記情報の全てが複数の複製マシンに前記パラメータに応じてカスタマイズされ、コピーされることを特徴とする。
また、前記イメージコピーツールは、前記マスタマシンのハードディスクに記録されているＯＳや複数のアプリケーションを一括してコピーするものであるようにすることができる。
また、前記カスタマイズツールは、前記パラメータをカスタマイズに合わせて生成するものであるようにすることができる。
本発明の自動カスタマイズ方法は、マスタマシンが保有している情報をイメージコピーする工程と、カスタマイズに必要となるパラメータを渡す工程とを有し、前記イメージコピーされた前記情報の全てが複数の複製マシンに前記パラメータに応じてカスタマイズされ、コピーされることを特徴とする。
また、マスタマシンのハードディスクに記録されているＯＳや複数のアプリケーションを一括してコピーする工程を有するようにすることができる。
また、前記パラメータをカスタマイズに合わせて生成する工程を有するようにすることができる。
本発明に係る自動カスタマイズシステムにおいては、イメージコピーツールにより、マスタマシンが保有している情報をイメージコピーし、カスタマイズツールによりカスタマイズに必要となるパラメータがイメージコピーツールに渡されると、イメージコピーツールによってイメージコピーされた情報の全てが複数の複製マシンにパラメータに応じてカスタマイズされ、コピーされる。
【０００９】
【発明の実施の形態】
以下、本発明の実施の形態について説明する。
図１は、本発明の自動カスタマイズシステムの一実施の形態を説明するための図、図２は、図１のＨＤイメージコピーツールを説明するための図、図３は、図１のＰＣマスタマシンを説明するための図、図４は、図１のＰＣ複製マシンを説明するための図、図５は、図１の自動カスタマイズシステムによるカスタマイズ（顧客環境設定）方法を説明するためのフローチャートである。
【００１０】
自動カスタマイズシステムは、図１に示すように、ＨＤ（ハードディスク）イメージコピーツール１０及び自動カスタマイズツール２０を備えている。
ＨＤイメージコピーツール１０は、図２に示すように、ＰＣマスタマシン３０とＰＣ複製マシン４０との間に介在されるものであり、ＰＣマスタマシン３０の後述するＨＤ３２のＯＳや複数のＡＰ（アプリケーション）１，ＡＰ２・・・等の情報を一括してイメージコピー（ＨＤ３２全体のコピーのことである）するとともに、その内容をＰＣ複製マシン４０の後述するＨＤ４２にイメージコピーさせるものである。なお、ＨＤイメージコピーツール１０に接続されるＰＣ複製マシン４０にあっては、図１のように１台に限らず複数台であっもよいことは勿論である。
【００１１】
自動カスタマイズツール２０は、ＨＤイメージコピーツール１０に渡すパラメータを生成するものである。つまり、ここでのパラメータは、カスタマイズ（顧客環境設定）に必要とされるものであり、たとえば事務系システムや技術系システムで使用されるＰＣの使用環境に合わせた情報である。
ちなみに、ＰＣマスタマシン３０は、図３に示すように、ＣＰＵ３１、ＨＤ（ハードディスク）３２及びメモリ３３等を搭載している。ＨＤ３２には、固有パラメータ等を含むＯＳや複数のＡＰ１，ＡＰ２・・・等の情報が記録されている。
ＰＣ複製マシン４０は、図４に示すように、ＣＰＵ４１、ＨＤ（ハードディスク）４２及びメモリ４３等を搭載している。ＨＤ４２には、ＰＣマスタマシン３０のＨＤ３２に記録されている固有パラメータ等を含むＯＳや複数のＡＰ１，ＡＰ２・・・等の情報がコピーされるようになっている。
【００１２】
次に、このような構成の自動カスタマイズシステムによるカスタマイズ（顧客環境設定）方法について説明する。
図５に示すように、ＰＣマスタマシン３０のＨＤ３２のＯＳや複数のＡＰ１，ＡＰ２・・・等の情報を一括して複数のＰＣ複製マシン４０のＨＤ４２にイメージコピーする場合、たとえば納入メーカー側にてＰＣマスタマシン３０にＨＤイメージコピーツール１０を接続し、さらにＨＤイメージコピーツール１０に自動カスタマイズツール２０と複数のＰＣ複製マシン４０とを接続する（ステップ５０１）。
【００１３】
これらの接続が完了した後、ＨＤイメージコピーツール１０によってＰＣマスタマシン３０のＨＤ３２のＯＳや複数のＡＰ１，ＡＰ２・・・等の情報をイメージコピーする（ステップ５０２）。次いで、自動カスタマイズツール２０からＨＤイメージコピーツール１０にカスタマイズ（顧客環境設定）に必要なパラメータが渡される（ステップ５０３）。
ここで、たとえば事務系システムで使用されるＰＣ複製マシン４０のカスタマイズ（顧客環境設定）を行う際には、自動カスタマイズツール２０からのパラメータが事務系システムでの使用環境に合わせた情報とされる。また、たとえば技術系システムで使用されるＰＣ複製マシン４０のカスタマイズ（顧客環境設定）を行う際には、自動カスタマイズツール２０からのパラメータが技術系システムでの使用環境に合わせた情報とされる。つまり、自動カスタマイズツール２０からのパラメータは、納入メーカー側で任意に変更可能となっている。
その後、ＨＤイメージコピーツール１０により、複数のＰＣ複製マシン４０のＨＤ４２にＰＣマスタマシン３０のＨＤ３２のＯＳや複数のＡＰ１，ＡＰ２・・・等がイメージコピーされる（ステップ５０４）。
【００１４】
このように、本実施の形態では、ＨＤイメージコピーツール１０により、ＰＣマスタマシン３０のＨＤ３２のＯＳや複数のＡＰ１，ＡＰ２・・・等の情報をイメージコピーし、自動カスタマイズツール２０によりカスタマイズ（顧客環境設定）に必要となるパラメータがＨＤイメージコピーツール１０に渡されると、ＨＤイメージコピーツール１０によってイメージコピーされたＰＣマスタマシン３０のＨＤ３２のＯＳや複数のＡＰ１，ＡＰ２・・・等の情報の全てが複数のＰＣ複製マシン４０のＨＤ４２にパラメータに応じてカスタマイズされ、コピーされるようにした。
【００１５】
これにより、複数のＰＣ複製マシン４０に対するカスタマイズは、納入メーカー側にて一括して行えるので、各担当者が個別に１台ずつ手動でカスタマイズを行う必要がなくなり、イメージコピーのための作業の工数等を大幅に削減することができる。
また、複数のＰＣ複製マシン４０に対するカスタマイズは、自動で行われるため、たとえばある程度の知識を必要としなくても、しかも不慣れな担当者がカスタマイズ（顧客環境設定）を行った場合等でも、手間をかけることなく、さらには設定誤り等が発生したりすることなく、容易かつ確実に作業を行うことができる。
よって、このような自動カスタマイズシステムを採用することで、納入メーカー側の信頼性を高めることができる。また、納品先にあっても、ＰＣ複製マシン４０を安心して使用することが可能となる。
【００１６】
【発明の効果】
以上の如く本発明に係る自動カスタマイズシステムによれば、イメージコピーツールにより、マスタマシンが保有している情報をイメージコピーし、カスタマイズツールによりカスタマイズに必要となるパラメータがイメージコピーツールに渡されると、イメージコピーツールによってイメージコピーされた情報の全てが複数の複製マシンにパラメータに応じてカスタマイズされ、コピーされるるようにしたので、複数の複製マシンに対するカスタマイズ（顧客環境設定）を容易かつ確実に行うことができる。
【図面の簡単な説明】
【図１】本発明の自動カスタマイズシステムの一実施の形態を説明するための図である。
【図２】図１のＨＤイメージコピーツールを説明するための図である。
【図３】図１のＰＣマスタマシンを説明するための図である。
【図４】図１のＰＣ複製マシンを説明するための図である。
【図５】図１の自動カスタマイズシステムによるカスタマイズ（顧客環境設定）方法を説明するためのフローチャートである。
【符号の説明】
１０  ＨＤイメージコピーツール
２０  自動カスタマイズツール
３０  ＰＣマスタマシン
３１  ＣＰＵ
３２  ＨＤ
３３  メモリ
４０  ＰＣ複製マシン
４１  ＣＰＵ
４２  ＨＤ
４３  メモリ
【図１】
2004157682.tif 000003
【図２】
2004157682.tif 000004
【図３】
2004157682.tif 000005
【図４】
2004157682.tif 000006
【図５】
2004157682.tif 000007